(57)【要約】【課題】受信メールを受信メール一覧とともに、カーソルで選択されているメールの本文をプレビュー表示できる情報通信端末において、メール既読処理を簡易にできる情報通信端末を提供する。【解決手段】情報通信端末に、プレビュー表示において、選択されている受信メールの本文の全てがプレビュー表示に用いられる領域内に納まるかどうかを判定する判定手段と、納まると判定した場合に、その受信メールの既読か未読かを示す情報を既読にする更新手段とを備える。【選択図】図１
2010238245.tif 000002
【特許請求の範囲】
【請求項１】
受信メールの一覧と共に、メールの本文の少なくとも一部を所定表示領域に表示する情報通信端末であって、
メールを受信する受信手段と、
受信メールを、当該受信メールが閲覧されたか否かを示す未読／既読情報と共に記憶する記憶手段と、
受信メールの本文全てが前記所定表示領域に表示されているかどうかを判定する判定手段と、
前記判定手段により、受信メールの本文全てが表示されていると判定された場合に、前記記憶手段の当該受信メールに関する未読／既読情報を当該受信メールが閲覧されたことを示す情報に更新する更新手段とを備え、
前記判定手段は、前記受信メールの本文の文字数と、前記所定表示領域で表示可能な文字数を比較し、前記本文の文字数の方が、前記表示可能な文字数以下である場合に、受信メールの本文の全てが前記所定表示領域に表示されていると判定し、
前記判定手段は、更に、前記受信メールに改行コードが含まれている場合には、
前記改行コードが含まれている位置に基づいて前記判定を行うと共に、
前記受信メールの所定の改行コードについては前記文字数の検出の際に除去して判定を行うことを特徴とする情報通信端末。
【請求項２】
前記判定手段は、前記受信メールの本文の後の改行コードを前記文字数の検出の際に除去して判定を行う請求項1記載の情報通信端末。
【請求項３】
前記情報通信端末は、更に、
前記受信メールの中からカーソル操作により、一のメールを選択する選択操作を受け付ける選択受付手段と、
前記選択受付手段により選択状態になっている一のメールの本文をその先頭から前記所定表示領域に表示可能なだけ表示するプレビュー表示手段とを備えることを特徴とする請求項１記載の情報通信端末。
【請求項４】
前記更新手段は、
前記選択受付手段により一のメールが選択されて、当該一のメールの本文の一部または全部が前記所定表示領域に表示されてから、所定時間経過した場合に、前記更新を実行することを特徴とする請求項３記載の情報通信端末。
【請求項５】
前記情報通信端末は、更に、
前記選択受付手段により選択状態になっている一のメールの本文を、受信メールの一覧を表示せずに、表示するための表示操作を受け付ける表示受付手段と、
前記表示受付手段において選択された一の受信メールの本文全文を表示する全文表示手段とを備え、
前記更新手段は、前記表示受付手段において一の受信メールの選択を受け付けて一の受信メールの本文を前記表示手段が表示した場合において、前記記憶手段の当該一の受信メールの未読／既読情報を当該受信メールが閲覧されたことを示す情報に更新することを特徴とする請求項１記載の情報通信端末。
【請求項６】
前記更新手段は、前記受信メールの前記記憶手段において記憶されている未読／既読情報が、未読を示す情報である場合にのみ、既読を示す情報に更新することを特徴とする請求項５記載の情報通信端末。
【請求項７】
前記情報通信端末は、更に、
受信メールの未読／既読情報が未読を示す情報であった場合に、未読を示すアイコンを待ち受け画面に表示する未読アイコン表示手段を備えることを特徴とする請求項１記載の情報通信端末。
【請求項８】
受信メールの一覧と共に、当該一覧からカーソルにより選択されているメールの本文の少なくとも一部を所定表示領域に表示する携帯電話機におけるメール既読化方法であって、
メールを受信する受信ステップと、
受信メールの本文全てが前記所定表示領域に表示されているかどうかを判定する判定ステップと、
前記判定ステップにおいて、受信メールの本文全てが表示されていると判定された場合に、当該受信メールが閲覧されたかどうかを示す未読／既読情報を当該受信メールが閲覧されたことを示す情報に更新する更新ステップとを含み、
前記判定ステップは、前記受信メールの本文の文字数と、前記所定表示領域で表示可能な文字数を比較し、前記本文の文字数の方が、前記表示可能な文字数以下である場合に、受信メールの本文の全てが前記所定表示領域に表示されていると判定し、
前記判定ステップは、更に、前記受信メールに改行コードが含まれている場合には、
前記改行コードが含まれている位置に基づいて前記判定を行うと共に、
前記受信メールの所定の改行コードについては前記文字数の検出の際に除去して判定を行うことを特徴とするメール既読化方法。
【請求項９】
前記判定手段は、前記受信メールの本文の後の改行コードを前記文字数の検出の際に除去して判定を行う請求項８記載のメール既読化方法。
【請求項１０】
受信メールの一覧と共に、当該一覧からカーソルにより選択されているメールの本文の少なくとも一部を所定表示領域に表示する携帯電話機において、当該携帯電話機のコンピュータに受信メールを既読化させるための処理手順を示したメール既読化プログラムであって、
前記処理手順は、
メールを受信する受信ステップと、
受信メールの本文全てが前記所定表示領域に表示されているかどうかを判定する判定ステップと、
前記判定ステップにおいて、受信メールの本文全てが表示されていると判定された場合に、当該受信メールの閲覧されたかどうかを示す未読／既読情報を当該受信メールが閲覧されたことを示す情報に更新する更新ステップとを含み、
前記判定ステップは、前記受信メールの本文の文字数と、前記所定表示領域で表示可能な文字数を比較し、前記本文の文字数の方が、前記表示可能な文字数以下である場合に、受信メールの本文の全てが前記所定表示領域に表示されていると判定し、
前記判定ステップは、更に、前記受信メールに改行コードが含まれている場合には、
前記改行コードが含まれている位置に基づいて前記判定を行うと共に、
前記受信メールの所定の改行コードについては前記文字数の検出の際に除去して判定を行うことを特徴とするメール既読化プログラム。
【請求項１１】
前記判定手段は、前記受信メールの本文の後の改行コードを前記文字数の検出の際に除去して判定を行う請求項１０記載のメール既読化プログラム。
【発明の詳細な説明】
【技術分野】
【０００１】
本発明は、情報通信端末に関し、特に、受信メールを表示する処理に関する。
【背景技術】
【０００２】
携帯電話機において、受信メールを確認する場合には、受信メールフォルダを開き、受信メールの送信者の一覧が表示され、ユーザが方向キーでカーソルを操作し、そのなかから一つのメールを選択したメールを表示させる決定ボタンを押下する操作を実行することでメール本文が表示される。このとき、そのメールはユーザに閲覧されたとして、既読メール扱いになる。既読メールになっていない未読メールがある場合には、携帯電話機には、未読メールがあることを通知するアイコン表示がなされる。
【０００３】
メールの一覧表示に関する技術としては下記の特許文献１に記載されたものがある。特許文献１には、メールの件名が一覧表示されている際に、一覧から選択されている件名のメールの発信者情報を共に表示する携帯電話機が開示されている。
【先行技術文献】
【特許文献】
【０００４】
【特許文献１】特開２００２−３６６４８９号公報
【発明の概要】
【発明が解決しようとする課題】
【０００５】
ところで、近年の携帯電話機の中には、受信メールの一覧表示を行っている場合に、方向キーでカーソルを操作し、カーソルで選択されているメールの本文をプレビュー表示するものがある。カーソルで選択されていると、文字の白黒が逆転する反転表示になったり、あるいはカーソルは例えば単に矢印であったりする。プレビュー表示とは、カーソルで選択されている受信メールの内容をユーザに喚起させるために、そのメールの本文の先頭から、例えば２行分だけ、受信メールの一覧と共に、表示するものである。プレビュー表示により、ユーザは、メールの内容を簡単に確認できたり、その内容を察したりすることができる。プレビュー表示では、受信メールの一覧と共に表示するために、その表示領域は小さく制限されるので、プレビュー表示の段階では、メール本文全てを確認できないこともあるため、そのメールは未読のままであることが望ましい。
【０００６】
しかしながら、携帯電話機のようなモバイル機器の場合には、長文のメールは打ちにくく、読みにくいという点から、短文のメールをやり取りすることも多く、その制限された表示領域でも十分な場合もある。この場合には、上述のメールを既読とするための操作は、ユーザにとって煩雑なものとなる。例えば、プレビュー表示で内容を確認したユーザは、本文表示の操作をせずに、そのまま、携帯電話機を待ち受け画面に戻した場合である。このとき、プレビュー表示でメールの内容を確認したのにもかかわらず、メールは既読扱いになっていないので、メール未読のアイコン表示がなされ、ユーザは別のメールが来ているかもしれないと思い、再度メールを確認するといった事態が発生することがある。この事態を防ぐためにはメール本文を表示する操作を行わなければならないが、プレビュー表示でメールの内容を確認できているユーザにとっては、その操作は煩わしいものとなる。
【０００７】
そこで、本発明においては上記煩雑さを解消することができる情報通信端末を提供することを目的とする。
【課題を解決するための手段】
【０００８】
上記課題を解決するため、本発明は、受信メールの一覧と共に、メールの本文の少なくとも一部を所定表示領域に表示する情報通信端末であって、メールを受信する受信手段と、受信メールを、当該受信メールが閲覧されたか否かを示す未読／既読情報と共に記憶する記憶手段と、受信メールの本文全てが前記所定表示領域に表示されているかどうかを判定する判定手段と、前記判定手段により、受信メールの本文全てが表示されていると判定された場合に、前記記憶手段の当該受信メールに関する未読／既読情報を当該受信メールが閲覧されたことを示す情報に更新する更新手段とを備えることを特徴としている。
【発明の効果】
【０００９】
上述のような構成によって、プレビュー画面において、受信メールの本文の全てが表示されたメールについては既読扱いとすることができる。これにより一度所定の領域、即ちプレビュー表示欄でメール本文の内容を確認することができたメールについては、そのメールを既読扱いとすることができ、メールを既読とするための煩雑な操作を必要としなくなる。なお、本明細書においては、表示画面の一部にあたる所定領域をプレビュー表示欄と呼称し、その受信メールの一覧と共に、プレビュー表示欄にメールの本文の少なくとも一部を表示することをプレビュー表示と呼称する。
【００１０】
また、前記情報通信端末は、更に、前記受信メールの中からカーソル操作により、一のメールを選択する選択操作を受け付ける選択受付手段と、前記選択受付手段により選択状態になっている一のメールの本文をその先頭から前記所定表示領域に表示可能なだけ表示するプレビュー表示手段とを備えることとしてよい。
【００１１】
これにより、情報通信端末は、ユーザによるカーソル操作で選択されたメールの本文の少なくとも一部をプレビュー表示することができる。
【００１２】
また、前記更新手段は、前記選択受付手段により一のメールが選択されて、当該一のメールの本文の一部または全部が前記所定表示領域に表示されてから、所定時間経過した場合に、前記更新を実行することとしてよい。
【００１３】
これにより、情報通信端末は、受信メールがプレビュー表示されてから、所定の時間、例えば５秒、経過した場合に、その受信メールの本文の全てがプレビュー表示されているかどうかを判定し、未読／既読情報を既読に更新するので、カーソルが高速で移動するだけで、一瞬だけプレビュー表示されただけで、ユーザがメールの内容を確認していないのに未読のメールの未読／既読情報を既読にすることを防止できる。
【００１４】
また、前記情報通信端末は、更に、前記選択受付手段により選択状態になっている一のメールの本文を、受信メールの一覧を表示せずに、表示するための表示操作を受け付ける表示受付手段と、前記表示受付手段において選択された一の受信メールの本文全文を表示する全文表示手段とを備え、前記更新手段は、前記表示受付手段において一の受信メールの選択を受け付けて一の受信メールの本文を前記表示手段が表示した場合において、前記記憶手段の当該一の受信メールの未読／既読情報を当該受信メールが閲覧されたことを示す情報に更新することとしてよい。
【００１５】
これにより、受信メールの一覧を表示せずに、メール本文を読むための操作を行った場合の未読／既読情報と、プレビュー表示を行った場合の未読／既読情報の共有化を図ることができ、いずれか一方においてメールの全文を表示した場合に、そのメールの既読化を実行できるようになる。
【００１６】
また、前記更新手段は、前記受信メールの前記記憶手段において記憶されている未読／
既読情報が、未読を示す情報である場合にのみ、既読を示す情報に更新することとしてよい。
【００１７】
これにより、情報通信端末の未読／既読情報の更新を常に行うのではなく、その未読／既読情報が未読の場合にのみ、更新する。
【００１８】
また、前記判定手段は、前記受信メールの本文の文字数と、前記所定表示領域で表示可能な文字数を比較し、前記本文の文字数の方が、前記表示可能な文字数以下である場合に、受信メールの本文の全てが前記所定表示領域に表示されていると判定することとしてよい。
【００１９】
これにより、情報通信端末は、メール本文の文字数をカウントすることで、プレビュー表示欄にメール本文の全文が表示できるかどうかを判定できるようになる。
【００２０】
また、前記情報通信端末は、更に、複数の文字のフォントを各フォントの各文字のサイズと共に記憶するフォント記憶手段と、前記判定手段は、前記フォント記憶手段で記憶されているフォントのうち、前記所定表示領域に表示するのに用いる文字のフォントの各文字サイズに基づいて、受信メールの本文全てが前記所定表示領域に表示されるかどうかを判定することとしてよい。
【００２１】
これにより、情報通信端末は、記憶していて使用できるフォントに応じて、プレビュー表示欄にメール本文の全文が表示できるかどうかを判定することができるようになる。フォントによって１文字のサイズが異なることがあるが、上記構成にすることで、情報通信端末は、各種のフォントに対応してメール本文の全文を表示できるかどうかを判定できるようになる。
【００２２】
また、前記判定手段は、更に、前記受信メールの本文の文字数が、前記所定表示領域に表示される文字数よりも１多い場合において、当該１多い文字が句点であるかどうかを判定し、前記判定手段により、当該１多い文字が句点であると判定された場合には、例外的に本文全てが表示されていなくても、前記記憶手段の当該受信メールに関する未読／既読情報を当該受信メールが閲覧されたことを示す情報に更新することとしてよい。
【００２３】
これにより、情報通信端末はプレビュー表示欄から句点だけはみ出してしまった場合には、メールの全文をユーザが読んだものとして、そのメールの既読かすることができるようになる。ユーザとしては句点だけを確認するために、メール本文を表示する操作を行うことは意味が薄く、煩雑になってしまうが、この構成により、当該煩雑さを解消できる。
【００２４】
また、前記判定手段は、更に、前記受信メールに改行コードが含まれている場合には、改行コードが含まれている位置に基づいて前記受信メールの文字数を検出することとしてよい。
【００２５】
これにより、情報通信端末は改行コードも意識してメール本文の文字数をカウントすることができるようになり、文字数がプレビュー表示欄におさまる文字数であっても改行コードがあって、表示しきれていないのにもかかわらず、メールを既読化するという事態を防ぐことができる。
【００２６】
また、前記情報通信端末は、更に、前記判定手段により、前記本文の文字数が、前記表示可能な文字数より多いと判定された場合に、前記所定表示領域で表示される文字のサイズを変更することで、受信メールの本文全文が表示可能になるかどうかを判定し、可能な場合に文字サイズを変更して前記所定表示領域に表示させる変更表示手段を備えることと
してよい。
【００２７】
これにより、情報通信端末は、現在の文字サイズでメール本文の全文をプレビュー表示できなくても、文字サイズを小さくすることで表示できる場合には、その文字サイズを変更することで全文をプレビュー表示できるので、ユーザは、そのメールの本文を読むための操作をしなくてすむようになる。
【００２８】
また、前記情報通信端末は、更に、受信メールの未読／既読情報が未読を示す情報であった場合に、未読を示すアイコンを待ち受け画面に表示する未読アイコン表示手段を備えることとしてよい。
【００２９】
これにより、情報通信端末は、未読のメールがあった場合には、アイコンなどで表示することにより未読のメールがあることをユーザに通知することができる。逆にプレビュー表示において、メールの本文全てが表示されて未読／既読情報が既読にされていた場合には、未読を示すアイコンは表示されなくなるので、ユーザは、メールを全て見たものと判断することができるようになる。
【００３０】
また、受信メールの一覧と共に、当該一覧からカーソルにより選択されているメールの本文の少なくとも一部を所定表示領域に表示する携帯電話機におけるメール既読化方法であって、メールを受信する受信ステップと、受信メールの本文全てが前記所定表示領域に表示されているかどうかを判定する判定ステップと、前記判定ステップにおいて、受信メールの本文全てが表示されていると判定された場合に、当該受信メールが閲覧されたかどうかを示す未読／既読情報を当該受信メールが閲覧されたことを示す情報に更新する更新ステップとを含むこととしてよい。
【００３１】
あるいは、受信メールの一覧と共に、当該一覧からカーソルにより選択されているメールの本文の少なくとも一部を所定表示領域に表示する携帯電話機において、当該携帯電話機のコンピュータに受信メールを既読化させるための処理手順を示したメール既読化プログラムであって、前記処理手順は、メールを受信する受信ステップと、受信メールの本文全てが前記所定表示領域に表示されているかどうかを判定する判定ステップと、前記判定ステップにおいて、受信メールの本文全てが表示されていると判定された場合に、当該受信メールの閲覧されたかどうかを示す未読／既読情報を当該受信メールが閲覧されたことを示す情報に更新する更新ステップとを含むこととしてよい。
【００３２】
この方法を情報通信端末が実行することにより、あるいは情報通信端末に搭載されたコンピュータがこのプログラムを読み込んで実行することにより、情報通信端末は、メール本文の全てがプレビュー表示されたかどうかを判定して、メール本文の全てがプレビュー表示されていた場合には、そのメールの既読化処理を実行できるようになる。よって、ユーザは、そのメールについては本文を閲覧するためのよけいな操作をしなくて済むようになる。
【図面の簡単な説明】
【００３３】
【図１】携帯電話機の機能構成を示した機能ブロック図である。
【図２】携帯電話機に記憶されている受信メールのデータの一例を示す図である。
【図３】（ａ）は、携帯電話機におけるプレビュー表示の一例を示す図である。（ｂ）は、携帯電話機におけるプレビュー表示の一例を示す図である。
【図４】プレビュー表示された場合に図２に示した受信メールのデータの変化後のデータの一例を示した図である。
【図５】（ａ）は、未読のメールがない場合の待ち受け画面の表示例を示す図である。（ｂ）は、未読のメールがある場合の待ち受け画面の表示例を示す図である。
【図６】携帯電話機におけるプレビュー表示の既読処理を示したフローチャートである。
【図７】携帯電話機が記憶している、プレビュー表示に用いるフォントと各フォントにかかるデータの一例を示す図である。
【図８】携帯電話機においてプレビュー表示の文字サイズを変形した場合の表示例を示す図である。
【発明を実施するための形態】
【００３４】
以下、本発明に係る情報通信端末の一実施形態である携帯電話機について図面を用いて説明する。
＜実施の形態＞
＜構成＞
図１は、携帯電話機１００の機能構成を示した機能ブロック図である。図１に示したように、携帯電話機１００は、通信部１１０と、操作部１２０と、音声処理部１３０と、表示部１４０と、記憶部１５０と、制御部１６０とを含んで構成される。
【００３５】
上述の、受信手段は通信部１１０によって、記憶手段は記憶部１５０によって、判定手段は制御部１６０に判定手段１６１によって、更新手段は制御部１６０の更新部１６２によって実現される。
【００３６】
通信部１１０は、アンテナ１１１を含んで構成され、アンテナ１１１から受け取った受信信号を受話音声信号及び受信データ信号に復調し、復調した受話音声信号を音声処理部１３０に、受信データ信号を制御部１６０に出力する機能を有する。また、通信部１１０は、音声処理部１３０でＡ／Ｄ変換された送話音声信号、及び制御部１６０から与えられる電子メールなどの送信データ信号を変調し、アンテナ１１１から出力する機能を有する。
【００３７】
操作部１２０は、テンキー群、オンフックキー、オフフックキー、方向キー、決定キー、メールキーなどの諸キー群を含み、ユーザの操作を受け付け、受け付けた操作内容を制御部１６０に伝達する機能を有する。本発明においては、特に、データ転送に係る指示をユーザから受け付ける。
【００３８】
音声処理部１３０は、通信部１１０から出力された受話音声信号をＤ／Ａ変換してスピーカ１３２に出力する機能と、マイク１３１から取得した送話音声信号をＡ／Ｄ変換し、生成した信号を通信部１１０に出力する機能を有する。
【００３９】
表示部１４０は、ＬＣＤ（Ｌｉｑｕｉｄ  Ｃｒｙｓｔａｌ  Ｄｉｓｐｌａｙ）などによって実現されるモニタを含み、制御部１６０の指示による画像をモニタに表示する機能を有する。具体的には、表示部１４０は、待ち受け画面やメールの文書、時間などを表示する。本発明においては、特に、受信メール一覧とともに、選択されている受信メールをプレビュー表示する。
【００４０】
記憶部１５０は、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）を含んで構成され、小型ハードディスクや不揮発性メモリなどによって実現され、各種データやプログラムを記憶する機能を有する。本発明においては、記憶部１５０は、特に受信メール１５１を記憶している。受信メール１５１は、携帯電話機１００で受信した受信メールの集合であるが、その詳細は後述する。
【００４１】
制御部１６０は、携帯電話機１００の各部を制御する機能を有する。本発明においては特に、判定手段１６１と更新部１６２とを含んで構成される。
【００４２】
判定手段１６１は、受信したメールの本文の文字数を検出し、プレビュー表示する際の表示欄に表示される文字数１７字以内に収まるかどうかを判定する。そして収まると判定し、かつ、当該メールがプレビュー表示された場合に、プレビュー表示欄にメール本文の全文が表示されたことを示す全文表示情報を更新部１６２に伝達する。全文表示情報は、メールを識別するための番号と、そのメールの本文の全てがプレビュー表示されたことを含む情報である。また、受信したメールの文字数が１８文字で、１８文字目が句点であった場合においても例外的に全文表示情報を更新部１６２に伝達する。なお、判定手段１６１は、メール本文の文字について、全角で記載されている文字１文字を１文字、半角で記載されている文字１文字を０．５文字として換算する。
【００４３】
更新部１６２は、判定手段１６１から通知された全文表示情報に基づいて、記憶部１４０に記憶されている受信メールの未読／既読を示すフラグである味読／既読情報が未読を示す情報であった場合に、既読を示す情報に更新する機能を有する。また、操作部１２０でユーザによる選択操作により一のメールのメール本文を表示する操作がなされ、メール本文が表示部１４０に表示された場合において、表示されたメールの未読／既読情報が未読を示す情報であったときには、既読を示す情報に更新する機能も有する。
＜データ＞
図２には、記憶部１５０で記憶されている受信メール１５１を一覧表示した一例である受信メール１５１ａを示した。同図に示すように、記憶部１４０では、メール番号欄２０１と、受信メールの送信者欄２０２と、メール本文欄２０３と、未読／既読情報欄２０４とが対応付けられて記憶されている。ここでは、これらの情報のみを表示したが、そのほか、メールアドレスや、受信日時などとも対応付けられていてもよい。
【００４４】
メール番号欄２０１には、携帯電話機１００が各メールを区別するために便宜的に付した番号の情報が記されている。
送信者欄２０２には、そのメールを送信した人物ないし企業などを示す情報が記されている。メール本文欄２０３には、そのメールに記されているメールの本文の情報が記されている。
【００４５】
未読／既読情報欄２０４には、そのメールがユーザによって閲覧されたかどうかを示す情報が記されている。ここでは、理解しやすくするために「既読」若しくは「未読」で示した。実際には、携帯電話機のコンピュータ上では「既読」を「１」、未読を「０」の情報でもって記憶されている。
【００４６】
例えば、メール番号「００１」の発信者は「塚西」であり、メール本文は、「頼まれて本買っておいたから」と、改行コードなしで１３文字となっている。このメールの未読／既読情報は図２においては、未読となっている。
【００４７】
また、メール番号「００２」の発信者は「安岡圭吾」であり、メール本文は、「駅前に１０時に。遅れるなよ？」となっており、図２においては、その未読／既読情報は未読となっている。このメールの本文は、８文字目の後に改行コードが入り、２行構成となっており、１行目は、８文字、２行目は６文字となっている。
【００４８】
また、メール番号「００３」の発信者は「寺村晴子」であり、メール本文は、「おはよ（＾ｏ＾）／元気？じゃ。後で」となっており、図２においては、その未読／既読情報は未読となっている。このメールの本文には、顔文字が含まれており、顔文字部分は、半角で記載されており、文字２つ分で全角１文字に相当する。このメールの本文では、全角換算で６文字目の後と、２行目の３文字目の後に改行コードが入り、３行構成となっており、１行目は、全角換算で６文字、２行目は３文字、３行目は５文字、合計１４文字となっ
ている。
【００４９】
また、メール番号「００４」及び「００５」についてはその未読／既読情報は「既読」になっている。
【００５０】
図３は、プレビュー表示の際の表示画面例を示している。図３（ａ）は、図２のメール一覧に基づいて作成された一覧と共に、メール番号００２のメール本文をプレビュー表示している表示画面の一例である。図３（ｂ）は、図３（ａ）の状態から次にユーザ操作により、メール番号００３の本文をプレビュー表示させた状態の表示画面の一例である。
【００５１】
図３（ａ）においては、メール番号００２が選択されていることが分かるように、メール番号００２の行が反転表示されており、その本文が、プレビュー表示欄３０１ａに表示されている。メール番号００２の場合、その本文はプレビュー表示欄３０１ａ内に収まっている。
【００５２】
一方、図３（ｂ）においては、メール番号００３が選択されていることが分かるようにメール番号００３の行が反転表示されており、その本文の最初から２行分が、プレビュー表示欄３０１ｂに記載されている。しかし、メール番号００３のメール本文の全ては表示されていない。
【００５３】
図３（ａ）から図３（ｂ）への変化を見て分かるように、図３（ａ）においては、未読であったメール００２が、本文全てがプレビュー表示されたことにより、未読状態から既読状態になったために、メール未読のアイコンが図３（ｂ）には、表示されなくなる。このアイコンの表示更新処理は、この受信メールの一覧を表示している状態では、カーソルが移動した後に行われる。
【００５４】
ここでプレビュー表示欄について説明しておく。プレビュー表示欄は、メール本文を２行分だけ表示できるものであり、１行目は、全角８文字まで、２行目は、全角９文字まで表示できる。
【００５５】
図４には、図２に示した受信メール１５１ａから、図３（ａ）、（ｂ）に示したようなプレビュー表示を経て、変化した受信メール１５１ｂを示した。
【００５６】
メール番号００１、００２、００３のメールの本文は、図３（ａ）、（ｂ）に示したように、プレビュー表示されたが、メール番号００１と００２とはそのメールの本文の全てがプレビュー表示欄に納まったものの、メール番号００３のメールの本文は、その全てがプレビュー表示欄に納まりきらなかった。
【００５７】
よって、判定手段１６１は、メール番号００１と００２についてのみ、全文表示情報を更新手段１６２に通知することになり、更新手段１６２は、メール番号００１と００２フラグを、「未読」から「既読」に更新し、その結果受信メール１５１ａは、受信メール１５１ｂに更新される。
【００５８】
図５には、未読／既読情報を用いた表示に関する一例を示した。図５（ａ）は、受信メールが未読である場合の待ち受け画面の一例を示し、図５（ｂ）は、受信メールが既読である場合の待ち受け画面の一例を示している。
図５（ａ）は、受信メールが未読である場合の待ち受け画面の一例を示しており、図５（ａ）に示すように、未読アイコン５０１が表示されている。これは、記憶部１４０において、メール一覧に未読情報がある場合に表示される。
【００５９】
一方、図５（ｂ）に示すように、未読情報がなく、全て既読になっていた場合には、図５（ａ）に示した未読アイコン５０１の表示がない。
＜動作＞
次に、本実施の形態においてメールを既読化するときの携帯電話機１００の動作を図６に示すフローチャートを用いて説明する。携帯電話機１００において、図３に示したようなメール一覧とプレビュー表示画面を表示した状態から、本動作の説明を記載する。
【００６０】
携帯電話機１００の制御部１６０は、まず反転表示されて選択されているメールの本文がプレビュー表示欄に表示されてから２秒経過したかどうかを判定する（ステップＳ６０１）。これは、携帯電話機１００がプレビュー表示出力を実行してから、時間を計時し、その間ユーザからのカーソル操作がなかったかどうかに基づいて判断する。選択されているメールの本文のプレビュー表示が２秒経過していない場合には（ステップＳ６０１のＮＯ）、２秒経過するまで待機するか、新たに別のメールが選択された場合には、最初から、計時しなおす。２秒経過したかどうかを判定するのは、単にカーソルが移動してメールが選択されただけで、メール本文を確認する間もなかったのに既読かされるのを防止するためである。
【００６１】
選択されているメールの本文のプレビュー表示を開始してから２秒経過している場合には（ステップＳ６０１のＹＥＳ）、メール本文の最後に改行コードがある場合には、その改行コードを除去する（ステップＳ６０３）。ただし、実際に除去するのではなく、本発明においてメール本文すべてがプレビュー表示さえているかどうかを判定するためにのみ行う。これは、メールによっては、最後に改行コードが２、３ついてるメールもあり、それらはユーザとしては、確認しなくても良い内容なので、プレビュー表示されなくてもよく、そのような場合もメールを既読化するために実行する処理である。
【００６２】
メール本文の最後の改行コードを除去した状態で、判定手段１６１は、メール本文中に改行コードがあるかどうかを判定する（ステップＳ６０５）。改行コードの有無については、簡単に説明すると、記憶部１５０は予め改行コードを識別するためのコードを記憶しており、当該コードと一致するコードがメール本文の中にあるかどうかによって判定する。
【００６３】
メール本文中に改行コードがある場合には（ステップＳ６０５のＹＥＳ）、判定手段１６１は、改行コードが２個以上あるかどうかを判定する（ステップＳ６０７）。
【００６４】
改行コードが２個以上ない場合、つまり１個の場合には（ステップＳ６０７のＮＯ）、判定手段１６１は、その改行コードがメールの９文字目以降にあるかどうかを判定する（ステップＳ６０９）。９文字目以降にない場合には（ステップＳ６０９のＮＯ）、判定手段１６１は、改行コードの後に記載されている文字数が９文字以内であるかどうかを判定する（ステップＳ６１１）。
【００６５】
改行コードの後に記載されている文字数が９文字以内である場合には（ステップＳ６１１のＹＥＳ）、判定手段１６１は、更新手段１６２に対して、選択されているメールの本文全てがプレビュー表示されたことを通知する。当該通知を受けて、更新手段１６２は、記憶部１５０の受信メール１５１において、そのメールの未読／既読情報が未読であった場合に既読に更新する（ステップＳ６１３）。
【００６６】
改行コードが１個で改行コードの後にある文字数が１０文字で、かつ、１０文字目が句点でない場合（ステップＳ６１２のＮＯ）には、判定手段１６１は、改行コード以降の文字数が１０文字、かつ、１０文字目が句点であるかどうかを判定する（ステップＳ６１２）。１０文字目が句点であった場合には（ステップＳ６１２のＹＥＳ）、判定手段１６１
は、更新手段１６２に対して、選択されているメールの本文全てがプレビュー表示されたことを通知する。当該通知を受けて、更新手段１６２は、記憶部１５０の受信メール１５１において、そのメールの未読／既読情報が未読であった場合に既読に更新する（ステップＳ６１３）。
【００６７】
そしてユーザからのメール一覧表示終了指示が来たら終了する。方向キーが押下されて別のメールが選択された場合には、当該メールにつき本フローチャートに示した処理を最初から行う。
【００６８】
改行コードが２個以上あった場合（ステップＳ６０７のＹＥＳ）、改行コードが１個で、改行コードがメール本文において先頭から９文字目以降にあった場合（ステップＳ６０９のＹＥＳ）、改行コードが１個で改行コードの後にある文字数が１０文字で、かつ、１０文字目が句点でない場合（ステップＳ６１２のＮＯ）には、メールの既読化処理を行わず、そのメールについては未読／既読情報は未読のままで終了する。
【００６９】
ステップＳ６０５において、メール本文中に改行コードがなかった場合には（ステップＳ６０５のＮＯ）、判定手段１６１は、メール本文の文字数が１７文字以下であるかどうかを判定する（ステップＳ６０６）。
【００７０】
メール本文の文字数が１７文字以下でなかった場合には（ステップＳ６０６のＮＯ）、判定手段１６２は、メール本文が１８文字であり、かつ１８文字目が句点であるかどうかを判定する（ステップＳ６０８）。
【００７１】
メール本文の文字数が１７文字以内であった場合（ステップＳ６０６のＹＥＳ）と、メール本文の文字数が１８文字で、１８文字目が句点であった場合には（ステップＳ６０８のＹＥＳ）、判定手段１６１は、更新手段１６２に対して、選択されているメールの本文全てがプレビュー表示されたことを通知する。当該通知を受けて、更新手段１６２は、記憶部１５０の受信メール１５１において、そのメールの未読／既読情報が未読であった場合に既読に更新する（ステップＳ６１３）。
【００７２】
そしてユーザからのメール一覧表示終了指示が来たら終了する。方向キーが押下されて別のメールが選択された場合には、当該メールにつき本フローチャートに示した処理を最初から行う。
【００７３】
メール本文が１７文字以内でなかった場合で（ステップＳ６０６のＮＯ）、かつ、本文が１８文字で、１８文字目が句点でなかった場合（ステップＳ６０８のＮＯ）には、メールの既読化処理を行わず、そのメールについては未読／既読情報は未読のままで処理を終了する。
【００７４】
以上が本発明に係る携帯電話機１００においてプレビュー表示における既読化処理である。
＜補足＞
上記実施の形態に基づき、本発明に係る携帯電話機について説明してきたが、本発明の実施の形態はこれに限るものではないのは勿論である。以下その変形例について説明していく。
（１）本発明は、上記実施の形態において示した携帯電話機におけるメールの既読化方法であってもよいし、当該方法を実現させるために、携帯電話機のコンピュータに読み込ませて実行させるプログラムであってもよい。
（２）上記実施の形態においては、フォントや文字のサイズについては特に記述せず、全角表示若しくは半角表示の場合についてのみ考慮し、メール本文の全てがプレビュー表示
欄に表示されるかどうかの判定を行った。しかし、プレビュー表示欄で表示される文字のフォントは、ユーザの好みによって変更されることも考えられる。
【００７５】
本発明に係る携帯電話機は、そのように複数のフォントに対応し、各フォントに応じて、メールの本文がプレビュー表示欄に収まるかどうかを判定する構成にしてもよい。
この場合、携帯電話機は、予め記憶部１４０に各種の文字フォントのほか、図７に示したような各フォントにおいて、その文字がプレビュー表示欄において、どの程度のスペースを占有するのかを示した一覧を保持する必要がある。
【００７６】
図７に示すようにフォント表７００は、フォント欄７０１と、文字サイズ７０２と、プレビュー表示領域占有文字数７０３とを含んで構成される。
【００７７】
フォント欄７０１は、各種フォントを識別するためのフォントの名称が記載されている。
文字サイズ７０２は、そのフォントで表示する際の文字のサイズを示しており、ここでは文字サイズ１２と８の場合を示している。ここでは示さなかったが、１２と８以外の場合もあってもよい。
【００７８】
そしてプレビュー表示領域占有文字数７０３においては、そのフォントにおける１文字がプレビュー表示領域において横方向で占有する領域を数値で表しており、その占有する領域は、ここでは、ＭＳゴシックの全角を１として、換算した値を示している。ここでは、「ＭＳゴシック」や「ＭＳ明朝」なら全角と半角の場合、「Ｃｅｎｔｕｒｙ」なら、大文字と小文字の場合の占有する値を示したが、更にフォントによっては文字ごとに占有する領域が異なることもあるので、その場合には、各文字ごとに占有する領域の値を記憶しておく必要がある。
【００７９】
そして、制御部１６０が、メール本文の全てがプレビュー表示欄に収まるかどうかを判定する際に、使用しているフォントに対応する各文字の占有する領域の値に基づいて、メール本文の合計占有領域がプレビュー表示領域の領域数以下になるかどうかに基づいて判定する構成にしてもよい。
（３）上記実施の形態においては、単に判定手段は文字が現在の文字サイズでプレビュー表示欄に収まるかどうかを判定したのみであったが、更に制御部１６０が文字サイズを変更した場合に、プレビュー表示欄に収まるかどうかを判定してもよい。
【００８０】
そして、その他の文字サイズ、つまり現在の文字サイズよりも小さい文字サイズにしてメール本文がプレビュー表示欄内に収まる場合には、文字サイズを小さくして表示してもよい。この場合には変形例（２）で示したようなフォント表に更に高さに関する占有領域の値を記憶しておく必要がある。
文字サイズを小さくすることで表示できる受信メールの一表示例を図８に示した。図３（ｂ）において示したように文字サイズが図７でいうところの１２であった場合には、メール本文の全てが記載されなかったが、そのサイズを８に変更することで、図８に示すようにプレビュー表示欄８０１にメール本文全てが表示されることになる。
【００８１】
そして更新手段１６２は、メールの本文全てがプレビュー表示欄８０１に表示されたので、受信メール１５１のメール００３の未読／既読情報が未読であった場合に、既読にする。
（４）上記実施の形態においては、図６に示したように改行コードを考慮した制御を行っている。この改行コードについては、その他にも、次のような構成にしてもよい。
【００８２】
例えば、判定手段１６１は、改行コードが存在する場合に、改行コードが挿入された行
において、そこまで表示されている文字数を算出し、その行で表示できたはずの残りの文字数を合計文字数に足し、合計した文字数が１７文字以内に収まるかどうかを判定する構成である。
（５）上記実施の形態において、未読／既読情報の処理については、既に「既読」となっていても、全てプレビュー表示された場合に、「既読」に更新するようにしてもよいし、プレビュー表示の段階で、既に「既読」になっていた場合には、本文全てがプレビュー表示する判定を行わなくてもよい。
（６）上記実施の形態においては、情報通信端末として携帯電話機を例に説明したが、これは、メールを受信して、受信メール一覧と共に、プレビュー表示する機能を有する端末であれば、携帯電話機でなくともよい。携帯電話機の代わりとしては、例えば、ＰＤＡ（Ｐｅｒｓｏｎａｌ  Ｄｉｇｉｔａｌ  Ａｓｓｉｓｔａｎｔｓ）などがある。
【産業上の利用可能性】
【００８３】
本発明に係る携帯電話機は、簡単にメールを閲覧することができる携帯電話機として活用することができる。
【符号の説明】
【００８４】
１００  携帯電話機
１１０  通信部
１１１  アンテナ
１２０  操作部
１３０  音声処理部
１３１  マイク
１３２  スピーカ
１４０  表示部
１５０  記憶部
１５１  受信メール
１６０  制御部
１６１  判定手段
１６２  更新手段
【図１】
2010238245.tif 000003
【図２】
2010238245.tif 000004
【図３】
2010238245.tif 000005
【図４】
2010238245.tif 000006
【図５】
2010238245.tif 000007
【図６】
2010238245.tif 000008
【図７】
2010238245.tif 000009
【図８】
2010238245.tif 000010